(57)【要約】【課題】単に扉を閉じただけの仮ロック状態では、扉を本体内から所定以上の操作力で押すことで開けることができ、運転中の本ロック状態では、扉を確実にロックすることができる。【解決手段】扉ロック装置は、扉が閉鎖されてラッチの爪部が係止部に係止し、かつ電気的作動部材がロック動作していない仮ロック状態のときには、扉に開放方向へ所定以上の操作力が作用することに伴い係止部に対する爪部の係止の解除が可能である。仮ロック状態から電気的作動部材がロック動作した本ロック状態のときには、扉に開放方向へ前記所定の操作力が作用しても係止部に対する爪部の係止の解除が阻止される構成である。【選択図】図６
2017042340.tif 000002
【特許請求の範囲】
【請求項１】
洗濯物出入口を有する本体と、
前記洗濯物出入口を開閉する扉と、
この扉を閉鎖状態に保持する扉ロック装置と、を備えた洗濯機において、
前記扉ロック装置は、
前記扉に設けられ先端部に爪部を有するラッチと、
前記本体側に設けられ前記扉が閉鎖されることに伴い前記ラッチの先端部が挿入されるラッチ挿入部と、
このラッチ挿入部の縁部に設けられ、前記扉が閉鎖されて前記ラッチの先端部が前記ラッチ挿入部に挿入されることに伴い前記爪部が係止される係止部と、
前記本体側に設けられ、前記扉の閉鎖状態で電気的作動部材がロック動作することに伴い動作して前記係止部に係止した前記爪部が係止解除方向へ動くことを阻止するロック機構と、を備え、
前記扉ロック装置は、
前記扉が閉鎖されて前記爪部が前記係止部に係止し、かつ前記電気的作動部材がロック動作していない仮ロック状態のときには、前記扉に開放方向へ所定以上の操作力が作用することに伴い前記係止部に対する前記爪部の係止の解除が可能であり、
前記仮ロック状態から前記電気的作動部材がロック動作した本ロック状態のときには、前記扉に開放方向へ前記所定の操作力が作用しても前記係止部に対する前記爪部の係止の解除が阻止される構成である洗濯機。
【請求項２】
前記ロック機構は、
前記ラッチの先端部を受け入れ可能なラッチ受け部を有し、このラッチ受け部に対して前記ラッチの先端部の出入りが可能な初期位置と、前記爪部が前記ラッチ受け部に挿入された状態で前記係止部に係止した状態となる第１の係止位置と、この第１の係止位置よりも前記係止部に対する前記爪部の係止寸法が大きくなる第２の係止位置との間で移動可能な可動部材と、
この可動部材の移動を許容するロック解除位置とその可動部材を前記第２の係止位置にロックするロック位置との間で移動可能に設けられ、前記電気的作動部材のロック動作時に前記ロック位置へ移動して前記可動部材を前記第２の係止位置に保持するロック部材と、を備え、
前記扉ロック装置が前記仮ロック状態のときには、前記可動部材が前記第１の係止位置に位置し、前記扉ロック装置が前記本ロック状態のときには、前記可動部材が前記第２の係止位置に位置する請求項１記載の洗濯機。
【請求項３】
前記可動部材と前記ロック部材との間に、前記扉ロック装置が前記仮ロック状態から前記本ロック状態になるときに前記ロック部材が前記ロック解除位置から前記ロック位置へ移動することに伴い前記可動部材を前記第１の係止位置から前記第２の係止位置へ移動させる移動手段が設けられている請求項２記載の洗濯機。
【請求項４】
前記ロック機構は、
前記ラッチの先端部を受け入れ可能なラッチ受け部を有し、このラッチ受け部に対して前記ラッチの先端部の出入りが可能な初期位置と、前記爪部が前記ラッチ受け部に挿入された状態で前記係止部に係止した状態となる係止位置との間で移動可能な可動部材と、
この可動部材の移動を許容するロック解除位置とその可動部材を前記係止位置にロックするロック位置との間で移動可能に設けられ、前記電気的作動部材のロック動作時に前記ロック位置へ移動して前記可動部材を前記係止位置に保持するロック部材と、
このロック部材が前記ロック解除位置から前記ロック位置へ移動することに伴い前記爪部が前記係止部から外れないように前記ラッチの動きを直接規制する規制手段と、を備え、
前記ロック装置が前記仮ロック状態のときには、前記可動部材が前記係止位置に位置するとともに前記規制手段が前記ラッチの動きを許容し、前記ロック装置が前記本ロック状態のときには、前記可動部材が前記係止位置に位置するとともに前記規制手段が前記ラッチの動きを規制する請求項１記載の洗濯機。
【請求項５】
前記ラッチは、軸部を中心に回動可能に設けられ、付勢手段により前記爪部が前記係止部に係止する方向に付勢されている請求項１から４のいずれか一項記載の洗濯機。
【発明の詳細な説明】
【技術分野】
【０００１】
本発明の実施形態は、洗濯機に関する。
【背景技術】
【０００２】
例えばドラム式の洗濯機においては、本体の前面に洗濯物出入口が設けられているとともに、その洗濯物出入口を開閉する扉がヒンジ部を介して回動可能に設けられ、さらに、扉を閉鎖状態に保持する扉ロック装置が設けられている。この種の洗濯機においては、洗濯などの運転中は蓋ロック装置により扉がロックされ、扉を開けることができないようになっている。
【先行技術文献】
【特許文献】
【０００３】
【特許文献１】特開２０１４−１８４５０号公報
【発明の概要】
【発明が解決しようとする課題】
【０００４】
従来の洗濯機においては、扉は、洗濯などの運転をしていない時でも、蓋ロック装置により閉鎖状態に保持されていて、外側からは開けることはできるが、内側からは開けることができない。万一、子供が洗濯機本体内に閉じ込められたような場合を考慮すると、運転をしていない状態では、扉を内側から開けられるようにすることが必要となる。
【０００５】
そこで、単に扉を閉じただけの仮ロック状態では、扉を本体内から所定以上の操作力で押すことで開けることができ、運転中の本ロック状態では、扉を確実にロックすることができる洗濯機を提供する。
【課題を解決するための手段】
【０００６】
本実施形態の洗濯機は、洗濯物出入口を有する本体と、前記洗濯物出入口を開閉する扉と、この扉を閉鎖状態に保持する扉ロック装置と、を備える。前記扉ロック装置は、前記扉に設けられ先端部に爪部を有するラッチと、前記本体側に設けられ前記扉が閉鎖されることに伴い前記ラッチの先端部が挿入されるラッチ挿入部と、このラッチ挿入部の縁部に設けられ、前記扉が閉鎖されて前記ラッチの先端部が前記ラッチ挿入部に挿入されることに伴い前記爪部が係止される係止部と、前記本体側に設けられ、前記扉の閉鎖状態で電気的作動部材がロック動作することに伴い動作して前記係止部に係止した前記爪部が係止解除方向へ動くことを阻止するロック機構と、を備える。前記扉ロック装置は、前記扉が閉鎖されて前記爪部が前記係止部に係止し、かつ前記電気的作動部材がロック動作していない仮ロック状態のときには、前記扉に開放方向へ所定以上の操作力が作用することに伴い前記係止部に対する前記爪部の係止の解除が可能であり、前記仮ロック状態から前記電気的作動部材がロック動作した本ロック状態のときには、前記扉に開放方向へ前記所定の操作力が作用しても前記係止部に対する前記爪部の係止の解除が阻止される構成である。
【図面の簡単な説明】
【０００７】
【図１】第１実施形態の洗濯機を示すもので、扉を閉じた状態での全体の正面図
【図２】扉を開いた状態での全体の正面図
【図３】扉ロック装置におけるロック装置本体の正面図
【図４】ロック装置本体におけるケースのカバーを外した状態で示すロック装置本体内部の正面図
【図５】ラッチ挿入前の状態における扉ロック装置の主要部を模式的に示すもので、（ａ）は断面図、（ｂ）は正面図
【図６】仮ロック状態における扉ロック装置の主要部を模式的に示すもので、（ａ）は断面図、（ｂ）は正面図
【図７】本ロック状態における扉ロック装置の主要部を模式的に示すもので、（ａ）は断面図、（ｂ）は正面図
【図８】第２実施形態のラッチ挿入前の状態における扉ロック装置の主要部を模式的に示すもので、（ａ）は断面図、（ｂ）は正面図
【図９】仮ロック状態における扉ロック装置の主要部を模式的に示すもので、（ａ）は断面図、（ｂ）は正面図
【図１０】本ロック状態における扉ロック装置の主要部を模式的に示すもので、（ａ）は断面図、（ｂ）は正面図
【発明を実施するための形態】
【０００８】
以下、複数の実施形態による洗濯機を図面を参照しながら説明する。なお、各実施形態において実質的に同一の構成部位には同一の符号を付し、説明を省略する。
（第１実施形態）
第１実施形態について図１から図７を参照して説明する。図１および図２には、洗濯機としてドラム式の洗濯機１の概略構成が示されている。この洗濯機１は、衣類の洗濯機能と乾燥機能を備えている。洗濯機１の本体２は、矩形箱状の筐体３を備えている。筐体３の前面３ａに洗濯物出入口４（図２参照）が設けられているとともに、この洗濯物出入口４を開閉する扉５がヒンジ部６を介して前後方向へ回動可能に設けられている。筐体３内には、回転槽７と、この回転槽７を収容する水槽（図示せず）が配設されている。水槽の前面開口部および回転槽７の前面開口部は、洗濯物出入口４に連通していて、扉５を開放した状態で、洗濯物出入口４を通して回転槽７内に対して図示しない衣類を出し入れすることができる。
【０００９】
扉５には、前方から見て右上部に位置させて手掛け部８が設けられ、また、本体２には、その手掛け部８に対応する位置に位置させて手掛け用凹部９が設けられている。手掛け用凹部９が設けられていることで、閉鎖された扉５を開ける際に手掛け部８に手を掛けやすくなっている。
【００１０】
本体２と扉５との間には、扉５を閉鎖状態に保持するための扉ロック装置１０が設けられており、以下この扉ロック装置１０について図３から図７も参照して説明する。扉５の自由端部側には、本体２側へ向けて突出するラッチ１１が設けられている。このラッチ１１は、図５（ａ）に示すように、先端部に爪部１２を有していて、Ｌ字状をなしている。またこのラッチ１１は、軸部１１ａを中心に回動可能に設けられていて、図示しないばねからなる付勢手段により矢印Ａ１方向へ付勢されている。ラッチ１１は、扉５の手掛け部８に手を掛けて手前側へ引くと、付勢手段の付勢力に抗して矢印Ａ１とは反対方向へ回動される。
【００１１】
本体２側には、ラッチ１１と対応する部分に位置させてロック装置本体１３が設けられている。ロック装置本体１３は、図３および図４に示すように、ケース１４の内部にロック機構１５が設けられている。ケース１４の正面を覆うカバー１４ａには、開口部からなるラッチ挿入部１６が設けられていると共に、このラッチ挿入部１６の縁部に係止部１７が設けられている。ラッチ挿入部１６は、ラッチ１１の先端部が出入りできる程度の矩形状に形成されていて、係止部１７は、ラッチ挿入部１６の一辺部である、図３および図５（ａ）において左側に設けられている。
【００１２】
ケース１４の内部には、ラッチ挿入部１６の裏側に位置させて可動部材１８が配置されている。この可動部材１８は、図４および図５において左右方向に摺動移動可能に配置されていて、付勢手段を構成する圧縮コイルばね１９により、矢印Ａ２方向に付勢されている。図４および図５は、可動部材１８が初期位置に移動した状態が示されている。可動部材１８には、当該可動部材１８が初期位置に移動した状態で前記ラッチ挿入部１６に対応する位置に位置させて、矩形状の凹部からなるラッチ受け部２０が設けられている。ラッチ受け部２０の開口部は、ラッチ挿入部１６とほぼ同じ大きさの矩形状に形成されていて、ラッチ１１の先端部を受け入れ可能な構成となっている。
【００１３】
図６は可動部材１８が第１の係止位置に移動した状態が示され、図７は可動部材１８が第２の係止位置に移動した状態が示されている。したがって、可動部材１８は、初期位置と、第１の係止位置と、第２の係止位置との間で摺動移動可能に設けられている。
【００１４】
ケース１４の内部には、可動部材１８の裏側に位置させるようにしてロック部材２２が配置されている。このロック部材２２は、図４および図５（ｂ）において上下方向に摺動移動可能に配置されていて、図４に示す圧縮コイルばね２３により、矢印Ａ３方向へ付勢されている。ロック部材２２の移動方向は、可動部材１８の移動方向に対して直交する方向となっている。ロック部材２２の一部は可動部材１８の裏側に挿入され、その先端部が、ケース１４内に配設された電磁ソレノイド２４のプランジャ２５の先端部に連結されている。ロック部材２２の残りの部分は、可動部材１８の裏側から外れている。電磁ソレノイド２４は、電気的作動部材を構成していて、洗濯機１に設けられた図示しない制御装置により制御される。
【００１５】
図４、図５（ｂ）および図６（ｂ）は、ロック部材２２がロック解除位置に移動した状態が示され、図７（ｂ）は、ロック部材２２がロック位置に移動した状態が示されている。したがって、ロック部材２２は、ロック解除位置とロック位置との間で摺動移動可能に設けられている。制御装置により電磁ソレノイド２４が通電されてロック動作すると、プランジャ２５が、図５の矢印Ａ４方向に移動され、これに伴いロック部材２２が同矢印Ａ４方向に移動され、ロック解除位置からロック位置へ移動される。
【００１６】
ロック部材２２の正面となるカバー１４ａ側の面の所定部位には、カバー１４ａ側へ向けて突出する第１の係合凸部２６が設けられている。この第１の係合凸部２６は、Ｌ字状をなしていて、角部２６ａを有している。前記可動部材１８には、ロック部材２２側となる裏側へ突出する第２の係合凸部２７が設けられている。この第２の係合凸部２７の先端部には、斜面２８が設けられている。この場合、第１の係合凸部２６と、第２の係合凸部２７の斜面２８は、後述するようにロック部材２２がロック解除位置からロック位置へ移動することに伴い、可動部材１８を第１の係止位置から第２の係止位置へ移動させる移動手段として機能する。
【００１７】
上記構成の作用を説明する。
扉５が開放された状態では、図５（ａ）に示すように、ラッチ１１の先端部はラッチ挿入部１６に挿入されてはいない。この状態では、可動部材１８は初期位置に位置し、ロック部材２２はロック解除位置に位置している。この状態では、図５（ｂ）に示すように、可動部材１８側の第２の係合凸部２７の一部が、ロック部材２２側における第１の係合凸部２６の移動可能領域に侵入しているため、ロック部材２２の矢印Ａ４方向への移動が制限されている。このため、仮に制御装置が電磁ソレノイド２４をロック動作させるべくプランジャ２５を矢印Ａ４方向へ移動させても、ロック部材２２をロック位置へ移動させることはできず、ロック動作させることはできない。
【００１８】
扉５が閉鎖方向へ回動されて閉められると、図６に示すように、ラッチ１１の先端部がラッチ挿入部１６を通して可動部材１８のラッチ受け部２０に受け入れられる。このとき、ラッチ１１の付勢手段における矢印Ａ１方向への付勢力を、可動部材１８の圧縮コイルばね１９における矢印Ａ２方向への付勢力よりやや大きく設定しておくことで、可動部材１８を矢印Ａ２とは反対方向へ少し移動させた第１の係止位置へ移動させた状態となる。これに伴い、図６（ｂ）に示すように、第２の係合凸部２７も矢印Ａ２とは反対方向へ移動し、先端部の斜面２８が第１の係合凸部２６の角部２６ａに臨む状態となる。この状態では、ラッチ１１の先端部における爪部１２が、ラッチ挿入部１６の縁部における係止部１７に浅い状態で係止する状態となる。このときの係止部１７に対する爪部１２の係止寸法をＢ１とする。
【００１９】
この状態では、ラッチ１１の先端部における爪部１２が、ラッチ挿入部１６の縁部における係止部１７に係止することで、扉５は閉鎖状態に保持されるようになる。この状態を、扉ロック装置１０の仮ロック状態と称する。この仮ロック状態においては、係止部１７に対する爪部１２の係止寸法Ｂ１が小さくて浅いため、扉５に開放方向へ所定以上の操作力が作用すると、係止部１７に対する爪部１２の係止が外れ易い。また、係止部１７に対して係止する爪部１２の係止面１２ａが、図６（ａ）において左下がりの斜めになっているため、扉５に開放方向へ所定以上の操作力が作用すると、係止部１７に対する爪部１２の係止が外れ易い。このように仮ロック状態においては、係止部１７に対する爪部１２の係止寸法Ｂ１が小さくて浅く、しかも係止部１７に対して係止する爪部１２の係止面１２ａが斜めになっているため、扉５に開放方向へ所定以上、例えば５ｋｇｆ以上の操作力が作用すると、係止部１７に対する爪部１２の係止が外れ易く、扉５を容易に開放させることが可能となる。このため、万一、子供が洗濯物出入口４から回転槽７内に入った状態で、扉５が閉められ仮ロック状態となったとしても、扉５の内側から扉５を５ｋｇｆ以上の操作力で開放方向へ押すことで、扉５を開けることが可能となる。
【００２０】
また、この仮ロック状態では、本体２の外側から扉５の手掛け部８に手を掛けて手前に引くことで、ラッチ１１が矢印Ａ１とは反対方向へ回動して、係止部１７に対する爪部１２の係止が解除され、扉５を開けることもできる。
【００２１】
制御装置は、扉ロック装置１０が上記仮ロック状態にある状態で、洗濯運転を開始させる際には、電磁ソレノイド２４を通電してロック動作させる。すると、前述したように、プランジャ２５が、図６の矢印Ａ４方向へ移動され、これに伴いロック部材２２が同矢印Ａ４方向へ移動され、ロック解除位置から図７に示すロック位置へ移動される。このとき、ロック部材２２の移動に伴い第１の係合凸部２６の角部２６ａが、可動部材１８の第２の係合凸部２７における斜面２８に当たりこれを押すことで、可動部材１８は矢印Ａ２とは反対方向へ移動し、図７に示す第２の係止位置まで移動する。
【００２２】
可動部材１８が第２の係止位置まで移動することに伴い、ラッチ１１も矢印Ａ１方向へ回動する。これにより、ラッチ１１の先端部における爪部１２が、係止部１７に深い状態で係止する状態となる。このときの係止部１７に対する爪部１２の係止寸法をＢ２とすると、この係止寸法Ｂ２は、前述の仮ロック状態における係止寸法Ｂ１よりも大きくなる（Ｂ２＞Ｂ１）。また、この状態では、ロック部材２２の第１の係合凸部２６の左側面が、可動部材１８の第２の係合凸部２７の先端部に対向する状態となるため、可動部材１８の矢印Ａ２方向への移動が阻止され、可動部材１８は第２の係止位置に保持された状態となる。この状態を、扉ロック装置１０の本ロック状態と称する。
【００２３】
この本ロック状態においては、係止部１７に対する爪部１２の係止寸法Ｂ２が大きくて深く、しかも係止部１７に対して係止する係止面１２ａが、図７（ａ）に示すように平行に近くなり、さらに可動部材１８は、ロック部材２２により矢印Ａ２方向への移動が阻止され第２の係止位置に保持されているから、扉５に開放方向へ、前記５ｋｇｆよりも大きな例えば３０ｋｇｆ以上の操作力が作用したとしても、係止部１７に対する爪部１２の係止が外れ難く、扉５を開けることができない。また、この本ロック状態においては、可動部材１８の矢印Ａ２方向への移動がロック部材２２により阻止されているから、本体２の外側から扉５の手掛け部８に手を掛けて手前に引いても、係止部１７に対する爪部１２の係止を解除することができず、扉５を開けることはできない。
【００２４】
上記した実施形態によれば、単に扉５を閉じただけの仮ロック状態では、扉５を本体２内から所定以上の操作力で押すことで開けることができる。そして、運転中の本ロック状態では、扉５を確実にロックすることができる。
【００２５】
（第２実施形態）
第２実施形態について、主に図８から図１０を参照して説明する。図８において、ケース１４の内部には、可動部材１８の裏側に位置させてリンク機構３０を設けている。このリンク機構３０は、軸３１ａを中心に回動可能なＬ字状をなすＬ字部材３１と、このＬ字部材３１の一端部に軸３２ａを介して回動可能に連結された第１のバー３２と、Ｌ字部材３１の他端部に軸３３ａを介して回動可能に連結された第２のバー３３を備えている。
【００２６】
第１のバー３２は、ロック部材２２における第１の係合凸部２６の近傍に配置され、ロック部材２２の移動方向に延びている。第１のバー３２の先端部が、ロック部材２２の第１の係合凸部２６の側面に当接している。第２のバー３３は、可動部材１８の裏側においてラッチ受け部２０の近傍に配置され、可動部材１８の移動方向に延びている。第２のバー３３の先端部が、ラッチ受け部２０の壁を貫通して当該ラッチ受け部２０に臨んでいる。リンク機構３０は、後述するように、ラッチ１１の動きを規制する規制手段として機能する。
【００２７】
可動部材１８における第２の係合凸部２７には斜面２８の部分はなく、この第２の係合凸部２７は、第１実施形態の第２の係合凸部２７よりも長さが短く設定されている。
上記構成の作用を説明する。
【００２８】
扉５が開放された状態では、図８（ａ）に示すように、ラッチ１１の先端部はラッチ挿入部１６に挿入されてはいない。この状態では、可動部材１８は初期位置に位置し、ロック部材２２はロック解除位置に位置している。この状態では、図８（ｂ）に示すように、可動部材１８側の第２の係合凸部２７の一部が、ロック部材２２側における第１の係合凸部２６の移動可能領域に侵入しているため、ロック部材２２の矢印Ａ４方向への移動が制限されている。このため、仮に制御装置が電磁ソレノイド２４をロック動作させるべくプランジャ２５を矢印Ａ４方向へ移動させても、ロック部材２２をロック位置へ移動させることはできず、ロック動作させることはできない。
【００２９】
扉５が閉鎖方向へ回動されて閉められると、図９に示すように、ラッチ１１の先端部がラッチ挿入部１６を通して可動部材１８のラッチ受け部２０に受け入れられる。このとき、ラッチ１１の付勢手段における矢印Ａ１方向への付勢力を、可動部材１８の圧縮コイルばね１９における矢印Ａ２方向への付勢力よりやや大きく設定しておくことで、可動部材１８を矢印Ａ２とは反対方向へ少し移動させた係止位置へ移動させた状態となる。これに伴い、図９（ｂ）に示すように、第２の係合凸部２７も矢印Ａ２とは反対方向へ移動し、第２の係合凸部２７が第１の係合凸部２６の移動領域から外れた状態となる。この状態では、ラッチ１１の先端部における爪部１２が、ラッチ挿入部１６の縁部における係止部１７に浅い状態で係止する状態となる。このときの係止部１７に対する爪部１２の係止寸法をＢ１とする。
【００３０】
この状態では、ラッチ１１の先端部における爪部１２が、ラッチ挿入部１６の縁部における係止部１７に係止することで、扉５は閉鎖状態に保持されるようになる。この状態を、扉ロック装置１０の仮ロック状態と称する。この仮ロック状態においては、第１実施形態の仮ロック状態の場合と同様に、係止部１７に対する爪部１２の係止寸法Ｂ１が小さくて浅いため、扉５に開放方向へ所定以上の操作力が作用すると、係止部１７に対する爪部１２の係止が外れ易い。また、係止部１７に対して係止する爪部１２の係止面１２ａが、図９（ａ）において左下がりの斜めになっているため、扉５に開放方向へ所定以上の操作力が作用すると、係止部１７に対する爪部１２の係止が外れ易い。このように仮ロック状態においては、係止部１７に対する爪部１２の係止寸法Ｂ１が小さくて浅く、しかも係止部１７に対して係止する爪部１２の係止面１２ａが斜めになっているため、扉５に開放方向へ所定以上、例えば５ｋｇｆ以上の操作力が作用すると、係止部１７に対する爪部１２の係止が外れ易く、扉５を容易に開放させることが可能となる。このため、万一、子供が洗濯物出入口４から回転槽７内に入った状態で、扉５が閉められ仮ロック状態となったとしても、扉５の内側から扉５を５ｋｇｆ以上の操作力で開放方向へ押すことで、扉５を開けることが可能となる。
【００３１】
また、この仮ロック状態では、本体２の外側から扉５の手掛け部８に手を掛けて手前に引くことで、ラッチ１１が矢印Ａ１とは反対方向へ回動して、係止部１７に対する爪部１２の係止が解除され、扉５を開けることもできる。
【００３２】
制御装置は、扉ロック装置１０が上記仮ロック状態にある状態で、洗濯運転を開始させる際には、電磁ソレノイド２４を通電してロック動作させる。すると、プランジャ２５が、図９の矢印Ａ４方向へ移動され、これに伴いロック部材２２が同矢印Ａ４方向へ移動され、ロック解除位置から図１０に示すロック位置へ移動される。
【００３３】
このとき、ロック部材２２の矢印Ａ４方向への移動に伴い第１の係合凸部２６が、リンク機構３０の第１のバー３２の先端部を押すことで、その第１のバー３２が同矢印Ａ４方向へ移動する。これに伴い、Ｌ字部材３１が、軸３１ａを中心に図１０（ｂ）の矢印Ａ５方向へ回動し、さらに、第２のバー３３が矢印Ａ２とは反対方向へ移動し、この第２のバー３３の先端部が、ラッチ受け部２０内のラッチ１１に横方向から当接する状態となる。
【００３４】
この状態では、ラッチ１１の係止解除方向である矢印Ａ１とは反対方向への回動がリンク機構３０により規制される。また、ロック部材２２がロック位置に移動することで、第１の係合凸部２６の左側面が、可動部材１８の第２の係合凸部２７の先端部に対向する状態となるため、可動部材１８の矢印Ａ２方向への移動が阻止され、可動部材１８は係止位置に保持された状態となる。この状態を、扉ロック装置１０の本ロック状態と称する。
【００３５】
この本ロック状態においては、仮ロック状態と同様に係止部１７に対する爪部１２の係止寸法Ｂ１は小さくて浅く、しかも係止部１７に対して係止する爪部１２の係止面１２ａが斜めになっているが、ラッチ１１の係止解除方向への回動がリンク機構３０によって直接規制されており、しかも可動部材１８は、ロック部材２２により矢印Ａ２方向への移動が阻止され係止位置に保持されているから、扉５に開放方向へ、前記５ｋｇｆよりも大きな操作力が作用したとしても、扉５を開けることができない。また、この本ロック状態においては、可動部材１８の矢印Ａ２方向への移動がロック部材２２により阻止されているから、本体２の外側から扉５の手掛け部８に手を掛けて手前に引いても、ラッチ１１の矢印Ａ１とは反対方向への回動が規制され、係止部１７に対する爪部１２の係止を解除できず、扉５を開けることはできない。
【００３６】
この第２実施形態においても、第１実施形態と同様に、単に扉５を閉じただけの仮ロック状態では、扉５を本体２内から所定以上の操作力で押すことで開けることができ、運転中の本ロック状態では、扉５を確実にロックすることができる。
【００３７】
（その他の実施形態）
ロック機構１５の電気的作動部材としては、電磁ソレノイド２４に代えてモータを用いることもできる。
【００３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
図面中、１は洗濯機、２は本体、４は洗濯物出入口、５は扉、８は手掛け部、１０は扉ロック装置、１１はラッチ、１１ａは軸部、１２は爪部、１３はロック装置本体、１５はロック機構、１６はラッチ挿入部、１７は係止部、１８は可動部材、２０はラッチ受け部、２２はロック部材、２４は電磁ソレノイド（電気的作動部材）、２５はプランジャ、２６は第１の係合凸部（移動手段）、２７は第２の係合凸部、２８は斜面（移動手段）、３０はリンク機構（規制手段）、３１はＬ字部材、３２は第１のバー、３３は第２のバーを示す。
【図１】
2017042340.tif 000003
【図２】
2017042340.tif 000004
【図３】
2017042340.tif 000005
【図４】
2017042340.tif 000006
【図５】
2017042340.tif 000007
【図６】
2017042340.tif 000008
【図７】
2017042340.tif 000009
【図８】
2017042340.tif 000010
【図９】
2017042340.tif 000011
【図１０】
2017042340.tif 000012